Podtech/llm-jp-corpus-v4-ja_patent huggingface dataset:
(57)【要約】      （修正有）【課題】構造が簡単で、第１足指を正常な位置に戻すことが可能な外反母趾矯正用サポータを提供する。【解決手段】薄手でサポート力の強い弾性ネット状部材で、第２〜第４足指を正常な位置に戻し保持する上部筒状部１４と、中足関節部を正常な位置に戻し保持する下部筒状部１３とを連結して形成し、前記下部筒状部の上端に第１足指挿入孔１５と第５足指挿入孔１６を形成し、前記上部筒状部の第２足指側に第１足指を正常な位置に押圧する弾性部材を設けることを特徴とする外反母趾矯正用サポータ１２。【選択図】  図２
2005021191.tif 000002
【特許請求の範囲】
【請求項１】
薄手でサポート力の強い弾性ネット状部材で、第２〜第４足指を正常な位置に戻し保持する上部筒状部と、中足関節部を正常な位置に戻し保持する下部筒状部とを連結して形成し、前記下部筒状部の上端に第１足指挿入孔と第５足指挿入孔を形成し、前記上部筒状部の第２足指側に第１足指を正常な位置に押圧する弾性部材を設けることを特徴とする外反母趾矯正用サポータ。
【請求項２】
前記第１足指を正常な位置に押圧する弾性部材が、前記上部筒状部の第２足指側の内側に形成されたポケットに交換可能に収容されることを特徴とする請求項１に記載の外反母趾矯正用サポータ。
【発明の詳細な説明】
【０００１】
【発明の属する技術分野】
本発明は、外反母趾矯正用サポータに関する。
【０００２】
【従来の技術】
【特許文献１】
特開２００１−８７２９７号公報
【０００３】
外反母趾とは、第１足指が第５足指の方に、つまり体の外側に曲がる状態をいい、ハイヒール等の爪先が細い靴が原因となることもあるが、運動不足や生活習慣の変化により、足底の筋肉が弱まり、足底中央部の凹横アーチを形成している中足靭帯が緩んでしまうことが原因となっている。
足の指の異常は、身体に色々な影響をおよぼす。外反母趾になると、足の一部分に体重が集中して、ねじれが生じ、不安定な歩き方になり、この状態を長期間続けると、膝、腰、肩などに異常が発生する。
【０００４】
このような外反母趾を矯正するため、特開２００１−８７２９７号公報には、図４に示されるように、足の中足関節部を内方に押圧する幅とその外周を巻回するバンド２１の上縁に、第１足指と第２足指との間及び第４足指と第５足指との間に挿入する弾性部材２２、２３を一体に取り付けた外反母趾サポータが開示されている。
【０００５】
【発明が解決しようとする課題】
しかしながら、前記従来の外反母趾サポータにおいては、第１足指と第２足指との間に弾性部材を挿入して第１足指を外方に押圧するだけのものである。
第１足指を正常な位置に戻すためには、第２足指が正常な位置になければならい。外反母趾においては、前記のように中足骨を結んでいる中足靭帯が緩んでしまっているので、第２足指も変形して正常な位置にないため、第１足指と第２足指の間に弾性部材を挿入して第１足指を外方に押圧する従来技術では、第１足指を正常な位置に戻すことができないものであった。
【０００６】
本発明は、上記従来技術の持つ課題を解決した、構造が簡単で、第１足指を正常な位置に戻すことが可能な外反母趾矯正用サポータを提供することを目的とする。
【０００７】
【課題を解決するための手段】
本第１発明は、前記課題を解決するために、外反母趾矯正用サポータにおいて、薄手でサポート力の強い弾性ネット状部材で、第２〜第４足指を正常な位置に戻し保持する上部筒状部と、中足関節部を正常な位置に戻し保持する下部筒状部とを連結して形成し、前記下部筒状部の上端に第１足指挿入孔と第５足指挿入孔を形成し、前記上部筒状部の第２足指側に第１足指を正常な位置に押圧する弾性部材を設けることを特徴とする。
【０００８】
本第２発明は、本第１発明の外反母趾矯正用サポータにおいて、前記第１足指を正常な位置に押圧する弾性部材が、前記上部筒状部の第２足指側の内側に形成されたポケットに交換可能に収容されることを特徴とする。
【０００９】
【発明の実施の形態】
図１は、外反母趾になった足の状態を示す。５本の足指１〜５が５本の中足骨６〜１０の中足関節で連結され、５本の中足骨６〜１０を結んでいる中足靭帯１１が緩み、中足関節が開き、中足関節により形成される足底中央部のくぼみ（横アーチと言われる）が減少し、第１中足骨６が内反し、そのため、第１足指１が外反する。また、中足靭帯１１が緩むことにより、第２〜第５中足骨も正常な位置からずれ、その結果、第２〜第５足指も正常な位置からずれた状態になる。
【００１０】
図２は、本発明の外反母趾矯正用サポータ１２を示すものである。外反母趾矯正用サポータ１２は、薄手でサポート力の強い弾性ネット状部材で形成される。
外反母趾矯正用サポータ１２は、中足靭帯の緩みにより生じた中足関節を正常の位置の戻し保持する下部筒状部１３を有する。
中足関節を正常な位置に戻し保持することにより、図３に示されるように足底に横アーチ１８が再び形成され、歩くときの衝撃が分散され、安定した歩行が可能となる。
下部筒状部１３の上部に、第２足指〜第４足指２〜４の３本の足指を正常な位置に戻し保持する上部筒状部１４が形成される。
第２足指〜第４足指２〜４を正常な位置に戻し保持することにより、外反した第１足指を正常な位置に戻すための基準が確立する。
下部筒状部１３の上端に、第１足指挿入孔１５と第５足指挿入孔１６が形成される。
【００１１】
上部筒状部１４の第２足指側に第１足指１を正常な位置に戻す押圧力が発生する大きさのスポンジ等の弾性体１７を設ける。弾性体１７は、上部筒状体１４の第２足指側に設けたポケット１８に収容し、取替え自在としてもよい。
ポケットを形成し弾性体１７を取替え自在とすることにより、第１足指の外反度に応じて弾性体１７の大きさを選択することが可能となる。
【００１２】
【発明の効果】
本発明の中足関節を正常な位置の戻し保持する下部筒状部の構成により、中足靭帯が緩むことにより生じる中足関節の開きが是正され、足底に横アーチが再び形成され、歩行時の衝撃が分散され安定した歩行が可能になる。
第２足指〜第４足指を正常な位置に戻し保持する上部筒状部の構成により、外反した第１足指を正常な位置に戻すための基準が形成される。
上部筒状部の第２足指側に第１足指を正常な位置に戻すための弾性体を設けることにより、上部筒状部により正常な位置に保持された第２足指を基準として外反した第１足指を正常な位置に戻すことが可能となる。
弾性体を収容するポケットを上部筒状部に設けることにより、第１足指の外反度に応じて、弾性体の大きさを交換自在とすることが可能となる。
【図面の簡単な説明】
【図１】外反母趾の状態を示す図である。
【図２】本発明の外反母趾矯正用サポータを示す図である。
【図３】本発明の外反母趾矯正用サポータを示す図である。
【図４】従来の外反母趾矯正用サポータを示す図である。
【符号の説明】
１〜５：第１足指〜第５足指
６〜１０：第１中足骨〜第５中足骨
１１：中足靭帯
１２：外反母趾矯正用サポータ
１３：下部筒状部
１４：上部筒状部
１５：第１足指挿入孔
１６：第５足指挿入孔
１７：弾性体
１８：横アーチ
２１：バンド
２２：弾性部材
２３：弾性部材
【図１】
2005021191.tif 000003
【図２】
2005021191.tif 000004
【図３】
2005021191.tif 000005
【図４】
2005021191.tif 000006
(57)【要約】【課題】  本発明は、そばやうどん、の生地に一定の加工を加えて、そば、うどんを製麺するための器具である。通常は大きな板や包丁を使用するが、作業が難しいので、これを解決するために、簡単に一定の厚さに生地を延ばし、これを裁断することが出来る製麺用器具を提供する。【手段】生地を加工するための型枠を設ける（１）。生地を延ばすためのローラーを設ける（２）。生地を裁断するためのローラーを設ける（３）。【選択図】図１
2005021164.tif 000002
【特許請求の範囲】
【請求項１】
そばやうどん、の生地を引き延ばし、及び裁断をする際の型枠により加工するための製麺用器具（１）。
【請求項２】
請求項１記載の生地を型枠に入れて、ローラーにより引き延ばすための製麺用器具（２）。
【請求項３】
請求項２記載の引き延ばした生地を型枠に入れて、ローラーにより裁断するための製麺用器具（３）。
【発明の詳細な説明】
【発明の詳細な説明】
【技術分野】
【０００１】  本発明は、そばやうどん、を製麺するときに使用するものであって、そば及びうどんの生地を引き延ばし、その後細長く簡単に裁断することが出来る製麺用器具に関するものである。
【背景技術】
【０００２】  従来、そばやうどん、を作る際は、大きな木の板（１ｍ四方程度）などに麺棒で、そば及びうどん、の生地を引き延ばし、その後大きな包丁などでこれを３ｍｍ程度の厚さに切っていたものが一般的である。
【発明が解決しようとする課題】
【０００３】  従来、そばやうどん、を製麺するには次のような問題点があった。大きな板に生地を均一（同じ厚さ）に延ばすことは、高度な技術と経験が必要とされている。加えてこの引き延ばした生地を３ｍｍ程度の均一に切ることは、最も難しく不揃いになってしまう事が多い。またこれを細長く裁断の際、生地をおりたたむので、生地同士が接着してしまうことが多いため、非常に難しいものである。しかし街中で見るそば職人などのような技術を得るには、長年かかるといわれており、これを習得することは、一般的には非常に大変なものである。本発明は以上の問題点を解決し、簡単に、そばやうどんの生地を引き延ばし、裁断出来るようになされたものである。
【課題を解決する手段】
【０００４】  そばやうどんの生地を延ばしたり、裁断する際の加工するための型枠（１）をもうける。この生地を延ばすためのローラー（２）を設ける。延ばされた生地を裁断するためのロラー（３）を設ける。本発明は以上の構成により成る、簡単に出来るそば、うどん製麺用器具である。
【発明を実施するための最良の形態】
【０００５】以下、本発明の実施の形態を説明する（イ）  そば、うどんの生地を加工するための型枠（１）を設ける（ロ）  型枠（１）に置いた生地を一定の厚さに延ばすためのローラー（２）を設ける。（ハ）  型枠で延ばされた生地を更に一定の幅に、裁断するための裁断用ローラー（３）を設ける。  本発明は以上の構成により成る。本発明を使用する場合は、先ず生地を型枠に入れてゆっくりと延ばしていく。生地が延ばしきれた際ローラーの太さと型枠の板との差が一定の厚さ（３ｍｍ程度）になっているので、どんなに力を加えてもこれ以上薄くなったり厚くなったりすることはないので、出来上がった生地は全て３ｍｍ程度の厚さになっている。これを別の裁断用ローラーでゆっくり回しながら切る事により、均一のそばやうどんが簡単に出来ることになる。なおこの外好みの太さの製麺をしたいときは、前述の引き延ばし及び裁断用のローラーの種類を変えることにより、自由に幅の広いものや細いもの及び、厚いものや薄いもの等使い分けることが出来る。
【発明の効果】
【０００６】  そばやうどんの生地を簡単に一定の厚さ（３ｍｍ程度）に延ばすことができるため、従来のように大きな板を使用したり、数多く何回も延ばしたり丸めたりすることがなくなる。またこの生地を裁断するのに、大きな包丁を使わず安全に均一に裁断することが簡単に出来るため、製麺技術の向上につながり誰でもがより早く、手軽にそばやうどん、の製麺を仕上げることが出来る。
【図面の簡単な説明】
【図１】本発明の斜視図
【図２】本発明の要部拡大の正面図
【図３】本発明の要部拡大の正面図
【図４】本発明の要部拡大の正面図
【符号の説明】
（１）生地加工用型枠  （２）生地引き延ばし用ローラー  （３）生地裁断用ローラー
【図１】
2005021164.tif 000003
【図２】
2005021164.tif 000004
【図３】
2005021164.tif 000005
【図４】
2005021164.tif 000006
(57)【要約】【課題】老若男女を問わず、一般の菓子と全く同様の感覚にて日常口にすることができ、好ましくは、ある程度の時間口中に留めることによって口腔内を殺菌して清潔に維持することができ、口腔内からの病気の発生を極力防止することができる抗菌性菓子を提供することを課題とする。【解決手段】本発明に係る抗菌性菓子は、粉末状、顆粒状又は液状の抗菌剤を少量含有させたことを特徴とするものである。ここで用いる抗菌剤としては、ヨウ素−シクロデキストリン包接化合物が好適であり、また、菓子としては、飴又はガム等のように、ある程度の時間口中に留まるものが好ましい。【選択図】        なし【特許請求の範囲】
【請求項１】
粉末状、顆粒状又は液状の抗菌剤を少量含有させたことを特徴とする抗菌性菓子。
【請求項２】
前記抗菌剤はヨウ素−シクロデキストリン包接化合物である請求項１に記載の抗菌性菓子。
【請求項３】
前記菓子はある程度の時間口中に留まるものである請求項１又は２に記載の抗菌性菓子。
【請求項４】
前記菓子は飴である請求項３に記載の抗菌性菓子。
【請求項５】
前記菓子はガムである請求項３に記載の抗菌性菓子。
【発明の詳細な説明】
【技術分野】
【０００１】
本発明は抗菌性菓子、より詳細には、一般の菓子、殊に飴やガムのように、ある程度の時間口中に留まっている菓子であって、口腔内殺菌効果を有する抗菌性菓子に関する。
【背景技術】
【０００２】
一般に口中には、多くの雑菌が存在しており、それが諸々の状況と相俟って、種々の病気を発現する。口腔内の殺菌のために、うがい薬を用いてうがいすることが行われるが、それは日常煩繁に且つどこにおいても気軽に行い得るというものではない。
【０００３】
また、のどの炎症や腫れを和らげ、痰を取り去る等の効果を有する、所謂のど飴の類が種々出回っている。その多くは、飴中に去痰・抗炎症作用を有する生薬エキス等を配合したものであって、医薬品又は医薬部外品として扱われており、一般の嗜好品としての飴とは異なり、症状が現われた場合にのみ服用するものである。即ち、従来ののど飴類は、抗菌等の予防目的のために、平時に服用するという性質のものではない。
【発明の開示】
【発明が解決しようとする課題】
【０００４】
上述したように、うがい薬を用いた口内殺菌は、何人も日常煩繁に且つどこにおいても気軽に行ない得るものではなく、また、従来ののど飴類は、あくまで症状が現われたときに服用するものであって、予防的に服用するものではなく、もちろん一般の菓子のように嗜好するものでもない。
【０００５】
そこで本発明は、老若男女を問わず、一般の菓子と全く同様の感覚にて日常口にすることができ、好ましくは、ある程度の時間口中に留めることによって口腔内を殺菌して清潔に維持することができ、口腔内からの病気の発生を極力防止することができる抗菌性菓子を提供することを課題とする。
【課題を解決するための手段】
【０００６】
上記課題を解決するための本発明に係る抗菌性菓子は、粉末状、顆粒状又は液状の抗菌剤を少量含有させたことを特徴とするものである。ここで用いる抗菌剤としては、ヨウ素−シクロデキストリン包接化合物が好適であり、また、菓子としては、飴又はガム等のように、ある程度の時間口中に留まるものが好ましい。
【発明の効果】
【０００７】
本発明に係る殺菌菓子は、老若男女を問わず、何人も一般の飴やガム等と同じ感覚にて日常口にすることができ、特に、飴やガムのようにある程度の時間口腔内に留まることにより、無意識のうちに口腔内殺菌がなされて口腔内が清潔状態に維持され、以て口腔内雑菌に基づく病気の発生が極力防止される効果がある。
【発明を実施するための最良の形態】
【０００８】
本発明の好ましい実施の形態につき説明する。本発明に係る抗菌性菓子は、粉末状、顆粒状又は液状の抗菌剤を少量含有させたことを特徴とするものであって、含有させる抗菌剤としては、粉末状又は顆粒状のヨウ素−シクロデキストリン包接化合物が好ましい。
【０００９】
ヨウ素は、ヨードチンキやルゴール液等の医薬品に用いられている元素で、天然ガスかん水等から生成される。また、シクロデキストリンは、環状構造のオリゴ糖で、グルコース６分子、７分子、８分子から成るものは、それぞれα−シクロデキストリン、β−シクロデキストリン、γ−シクロデキストリンと呼ばれる。これらは、食品添加物としても認可されていて、人体にとって無害なものである。
【００１０】
このシクロデキストリンをホストとし、ヨウ素をゲストとする抗菌性を有する包接化合物が知られている（例えば特開平１０−２４５４０３号公報、特開２００２−１９３７１９号公報、特開２００２−３７０９０２号公報）。
【００１１】
本発明に係る菓子は、せんべい、クッキー、和菓子等その種類は問わないが、好ましくは、ある程度の時間（数分間）口中に留まる飴（本発明においては、狭義の飴の外、キャンデー、キャラメル等を含む広い概念のものである。）又はガム等を対象とする。ヨウ素−シクロデキストリン包接化合物の添加方法は任意で、例えば、飴の場合は、成形時にそれらを糖液上に適量振りかけて散在させる。
【００１２】
本発明において菓子に含有される抗菌剤は微少な量であるため、菓子本来の味が損なわれることはなく、また、視覚的観点から商品価値が低下するということもない。そして、一般の飴やガムと同じ感覚にて老若男女を問わず、日常口にすることができ、菓子本来の味を楽しみつつ、知らず知らずのうちに口腔内殺菌が行われることになる。
【００１３】
口腔内においては、菓子中にだ液が混ざり合うため、相乗的に殺菌が行われる。その後水分の影響で包接体から抜け出したヨウ素は容易に他の有機物の存在でヨウ素イオンとなり殺菌力を失う。従って腸内細菌に悪影響を及ぼすことはない。
(57)【要約】【課題】安全で使いやすく収納しやすい運道具を提供する。【解決手段】透明部を設けた事により本発明は視界が広く取れて安全であり使いやすく収納しやすい素材と手段を使用した。本発明は、安全第一に考えており使用する時は危険のない様に配慮しなければならない。この発明はレジャーあるいは遊具や競技用又はリハビリ用等色々な分野に使用する事が出来、筒状体の安全な運道具として人が中に入り転がしながら前に進む等して使うものである。【選択図】    図２
2005021174.tif 000002
【特許請求の範囲】
【請求項１】
可撓性体で構成した筒状体からなる運道具。
【請求項２】
可撓性体で構成した筒状体からなる運道具であって、筒状体の周面略中央部に周方向に沿って略透明部を設けた運道具。
【請求項３】
可撓性体で構成した筒状体からなる運道具であって、筒状体を透明材料で構成した運道具。
【請求項４】
可撓性体で構成した筒状体からなる運道具であって、筒状体に貫通孔を設けた運道具。
【請求項５】
筒状体は（一方向に伸延させた）短形体の両端を接続する事により形成した事を特徴とする請求項１〜４のいずれか一項に記載の運道具。
【請求項６】
可撓性体が弾性体からなる事を特徴とする請求項１〜５のいずれか一項に記載の運道具。
【発明の詳細な説明】
【０００１】
【発明の属する技術分野】
本発明は中に人が入って転がして使う運道具に関するものである。
【０００２】
【従来の技術】
従来は段ボール等を使って筒状体を作り中に人が入って転がしていた。
【０００３】
【発明が解決しようとする課題】
しかしながら、従来の物では使うのがめんどうであり又、使用中視界が無く危険性があった。
本発明は手間がかからなく又、使用中視界が広く取れる運道具を提供する事にある。
【０００４】
【課題を解決するための手段】
本発明は、可撓性体で構成した筒状体からなる運道具である。又、本発明の運道具の周面略中央部に周方向に沿って略透明部を設けたり運道具を透明材料で構成したり、運道具に貫通孔を設けたりする。
あるいは、本発明の運道具を短形体にし両端を接続する事も出来又、本発明の運道具の可撓性体を弾性体としてもよい。以上の発明による運道具を提供する事により上記課題を解決したものである。
【０００５】
【考案の実施の形態】
【実施例】
本発明の運道具は、図２に示される様に中に人が入って転がして使える様に構成されている。
【０００６】
図１に示される様に、運道具２はシート状になっており４により接続して、筒状体にする。あるいは、最初から筒状体に形成されている。接続手段は、図３の様にマジックテープ（登録商標）を使ったり、紐で結合してもよいし、状況に応じて自由に考えられる。
【０００７】
運道具２は透明部３が設けられていて使用中視界が広く取れる。
【０００８】
又透明部３は運道具２の周面略中央部に周方向に沿って設けられていて、使用中前及び３６０度外を見る事が出来る。
【０００９】
尚透明部３は、運道具２の周面略中央部に設けられているだけとは限らず横方向に複数以上設けてもよいし、形状は自由で設ける所も一ヶ所とは限らず自由でいたる所が考えられる。
【００１０】
そして本発明の場合の可撓性体とは弾性体を含むものでもある。この場合の可撓性体とはビニールやプラスチック等、筒状にたわむものすべてである。そして弾性体とは、スポンジやゴム等弾力性のあるものすべてである。
【００１１】
図１の２にはＡとＢがあるがＢは透明部３を透明材料で構成してあって２との縁に接着又は、接合されている。（図４のＡ）Ａは２に透明部３として貫通孔が複数以上設けてある。これによりＡとＢは使用中視界を広くとれ前等を見る事が出来る。
【００１２】
又２の形状と素材は自由であらゆるものが考えられる
【００１３】
又２には透明部３を設けないものも考えられる。
【００１４】
又２全体を透明材料で構成してもよい。
【００１５】
図４のＢとＣのように透明部３を設けた２の表面又は１及び裏面の全体又は一部に透明部材を接着又ははってもよいし、２に設けた透明部３の縁全体に透明部を覆う形で透明部材をはったり接着する事が考えられる。これによって使用中視界が広くとれ、貫通孔等の透明部に手や足をひっかける。危険性は無くなる。（図４のＤとＥ）
【００１６】
【発明の効果】
以上の様に、請求項１の発明によれば、運道具を安全に使え、請求項２、３、４の発明によれば２を使用中に前や３６０度外を見る事が出来て安全に使え請求項５の発明によれば２をすみやかに収納出来、請求項６の発明によれば２に弾性をもたす事でより使いやすくなる。
【図面の簡単な説明】
【図１】シート状の運道具を伸ばした状態の図
【図２】筒状体の運動具の側面図
【図３】マジックテープ（登録商標）等で接続した説明図
【図４】透明部を設けた２の断面図
【符号の説明】
１    人
２    運道具
３    透明部（この部分は透明材料で形成する事も出来る）
４    マジックテープ（登録商標）    ５  透明部材
【図１】
2005021174.tif 000003
【図２】
2005021174.tif 000004
【図３】
2005021174.tif 000005
【図４】
2005021174.tif 000006
(57)【要約】【課題】ウコン粉末の水溶性を高めて、体内への吸収を促進させることが可能なウコン粉末加工食品を提供する。【解決手段】糸引き納豆の粉末あるいは糸引き納豆自体にウコン粉末が添加混合されてなるものである。これにより、ウコン粉末の水溶性が高められて体内への吸収が促進され、ウコンの有する効能が非常に効果的に発揮される。また、納豆粉末あるいは納豆自体との混合により、ウコン粉末特有の臭いや苦味が緩和され、ウコン粉末の摂取を抵抗なく行うことが可能にされる。【選択図】  なし【特許請求の範囲】
【請求項１】
糸引き納豆の粉末にウコン粉末が添加混合されてなることを特徴とするウコン粉末加工食品。
【請求項２】
糸引き納豆にウコン粉末が添加混合されてなることを特徴とするウコン粉末加工食品。
【発明の詳細な説明】
【０００１】
【発明の属する技術分野】
本発明は、ウコン粉末を用いた加工食品に関する。
【０００２】
【従来の技術】
ウコンは、ショウガ科の熱帯アジア原産の多年生草木であり、その粉末が漢方薬として利用されている。ウコン粉末は、ウコンの根茎を乾燥し、その繊維を取り除いたものを粉砕することにより得られる。その効能としては、健胃作用、利尿作用、肝臓の解毒作用等種々の効能が知られている。しかし、ウコン粉末については、水に溶けにくいため、体内での吸収が不十分であり、その結果、ウコンの特性が十分に発揮され難いという問題が従来から知られていたことである。従来、このようなウコン粉末については、煎じることにより使用されているが、これではウコンの成分を十分に活用できるものではなく、またいちいち煎じることも手間であった。これに対して、本件発明者は、このような問題を有するウコン粉末について、糸引き納豆の粉末あるいは納豆自体に加えることにより、水に溶けやすくなるという事実を見出し、本発明を想到するに至った。
【０００３】
【発明が解決しようとする課題】
本発明は、上記した問題を解決しようとするもので、ウコン粉末の水溶性を高めて、体内への吸収を促進させることが可能なウコン粉末加工食品を提供することを目的とする。
【０００４】
【課題を解決するための手段】
上記目的を達成するために上記請求項１の発明の構成上の特徴は、糸引き納豆の粉末にウコン粉末が添加混合されてなることにある。このように、ウコン粉末を糸引き納豆の粉末に添加混合することにより、両者が非常にバランスよく混合される。また、納豆粉末との混合により、ウコン粉末が水に非常に溶け易くなる。そのため、ウコン粉末の体内への吸収が高められ、ウコンの有する効能が非常に効果的に発揮される。また、納豆粉末との混合により、ウコン粉末特有の臭いや苦味が緩和され、ウコンの摂取を抵抗なく行うことが可能にされた。さらに、ウコン粉末の効果に加えて、納豆粉末自体の効果も同時に得られる。
【０００５】
また、請求項２の発明の構成上の特徴は、糸引き納豆にウコン粉末が添加混合されてなることにある。このように、ウコン粉末が糸引き納豆に添加混合されることにより、糸引き納豆の粉末に混合した場合と同様に、ウコン粉末が水に非常に溶け易くなる。そのため、ウコン粉末の体内への吸収が高められ、ウコンの有する効能が非常に効果的に発揮される。また、納豆との混合により、ウコン粉末特有の臭いや苦味が緩和され、ウコンの摂取を抵抗なく行うことが可能にされた。さらに、ウコン粉末の効果に加えて、納豆自体の効果も同時に得られる。
【０００６】
【発明の実施の形態】
以下、本発明の一実施の形態について説明する。
第１実施形態は、ウコン粉末を納豆粉末に加えて混合したウコン粉末加工食品に関するものである。納豆粉末については、種々の製法が知られているが、例えば糸引き納豆を低温真空状態で冷凍乾燥させ、これを粉砕機により粉砕することにより形成される。ウコン粉末と納豆粉末の混合の割合は任意であり、重量比で８０：２０，５０：５０，２０：８０等いずれも使用可能である。これらの混合割合については、ウコン粉末の期待される効能に応じて決められるが、ウコン粉末の効用を大きく発揮させる一例として、ウコン粉末と納豆粉末との混合割合が８０：２０程度で用いられる。
【０００７】
種々のウコン粉末と納豆粉末の混合物１０グラムを水１００ｍｌに溶かして約３０分放置した後に観察した結果、いずれも溶解直後の水の色から変化がなく、ウコン粉末の沈殿は確認されなかった。一方、ウコン粉末１０グラムのみを水１００ｍｌに溶かして攪拌し、３０分経過後に観察した結果、溶解当初の濁った水の色に比べて透明に近い色に変化し、またウコン粉末の沈殿も認められた。これにより、ウコン粉末と納豆粉末との混合品におけるウコン粉末の水溶性が、ウコン粉末単体に比べて非常に良好であることが確認された。また、納豆粉末との混合により、ウコン粉末特有の臭いや苦味が緩和され、ウコン粉末の摂取を抵抗なく行うことが可能にされた。さらに、ウコンの効用に加えて、納豆粉末が摂取されることにより、納豆の効用も合わせて得られる。
【０００８】
第２実施形態は、ウコン粉末を糸引き納豆自体に添加混合したウコン粉末加工食品に関するものである。この場合にも、ウコン粉末と納豆との混合の割合は任意である。また、この場合も、ウコン粉末特有の臭いや苦味が緩和され、ウコン粉末の摂取を抵抗なく行うことが可能にされた。ただし、本実施形態では、糸引き納豆自体が用いられることから、通常はウコン粉末の混合割合は、納豆粉末の場合に比べて低く抑えられて２０％程度にされ、通常の糸引き納豆と同様の状態で使用されることが好ましい。このウコン粉末加工食品は、通常の糸引き納豆の効果に加えて、ウコン粉末の効用も合わせて得られる。
【０００９】
【発明の効果】
本発明によれば、ウコン粉末を糸引き納豆の粉末あるいは糸引き納豆自体に添加混合することにより、ウコン粉末が水に非常に溶け易くなり、ウコン粉末の体内への吸収が高められ、ウコンの有する効能が非常に効果的に発揮される。また、納豆粉末あるいは納豆自体との混合により、ウコン粉末特有の臭いや苦味が緩和され、ウコン粉末の摂取を抵抗なく行うことが可能にされる。
(57)【要約】〔課題〕種苗用種子において、種皮の細かいよごれや、蝋状物質が、保存中の種子の活性を悪化して、保存力と、発芽成績を悪化している。また、種子が低温に合うことによる春化処理は、種子の成熟と、特性の安定化に大きな役割をもっている。これらを配慮して、優良種子を提供する。〔解決手段〕種苗用種子の種皮の細かいよごれや、蝋状物質を除き活性を改良するために、多量の水あるいは、多量のうすい食塩水で、種皮の表面をよく洗浄して、きれいにした後、水をよくきって、それを凍結して、春化処理に供する。春化処理の後、よく乾燥して処理種子とすることを特徴とする。【選択図】なし【特許請求の範囲】
【請求項１】
種苗用に用いる種子の種皮を、外部から多量の水でよく洗浄した後、よく水をきって、湿ったまま、冷凍庫で凍結する。適温で適当期間凍結春化処理をした後よく乾燥して、処理種子とする。
【請求項２】
「多量の水」…を、「多量のうすい食塩水」…とする請求項Ｉの種子処理法。
【発明の詳細な説明】
【０００１】〔発明の属する技術分野〕
この発明は、種苗に用いる種子の処理法に関するものである。
【０００２】〔従来の技術〕
従来、種苗用には、優良な生育の良好な種子を選び、良く選別して均一なものを、用いるのが一般的である。
また浸種処理は広く用いられるが、吸水は、必ずしも均一ではなく、それに伴う春化処理も均一性悪く、処理は、むずかしく、種子が湿って扱いにくい。
【０００３】〔発明が解決しようとする課題〕
種皮のよごれや、蝋状物質は、よく洗い流してきれいにすると、種子の活性が改良され、保存休眠中にも呼吸が盛んに行われる。
また、水をきって、湿ったまゝ凍結すると、春化処理として種子の特性が改良される場合が多い。
これらの処理の後、充分乾燥して、処理種子とする。
【０００４】〔課題を解決するための手段〕
この課題を解決するために、次の手段を発見した。
種皮のよごれや、蝋状物質を洗い流すために、多量の水や、多量のうすい食塩水で充分に清浄した後、種子の水をよくきって、まだ湿ったまま速かに凍結して種に応じて、適当温度に適当期間凍結をつゞけて、春化処理を施す。
処理完了後、充分良く乾燥して処理種子とする。
【０００５】〔発明実施の形態〕
種苗用の種子を、中形の布袋に適当量ずつ入れて、これを外部から、多量の水あるいは、多量のうすい食塩水で、充分にもみ洗いして、種皮のよごれや、蝋状物質を洗い流して後、水をよく切って、湿ったまゝ速かに、冷凍庫に入れて、凍結させて、種によって適当温度で適当期間、春化処理を施した後に、布袋から出して、広くひろげて、よく乾燥して処理種子とする。
【０００６】〔実施例〕
種苗用の種子を、中形の布袋に１回に１ｋｇ〜１０ｋｇ入れて、これを洗濯機を用いて２回〜数回ていねいに洗った後、脱水器でよく脱水して、湿って袋に入ったまゝ、冷凍庫に入れて、１ヶ月〜数ヶ月凍結して、春化処理をする。
その後、布袋より出して、広くひろげて、よく乾燥して、処理種子とする。
【０００７】〔発明の効果〕
種苗用として収穫した種子の種皮を水や、うすい食塩水できれいに洗浄することによって、種子の活性が改良され、休眠中も呼吸が充分できて、活性良く休眠して、発芽成績を高める。
また、洗浄後、水をきって、湿ったまゝ凍結させて、春化処理に供する。
春化処理は、作物種によって、方法や、期待する効果が大きく異ってくる。
しかし、一般に、種子の成熟がより完成され、栽培性もよくそろい、完成度を高める傾向をもつ。
種子の浸種に当っては、吸水が不ぞろいであるが、洗種に伴う吸水は、比較的よくそろい、それに伴う処理も、そろってくる長所をもつ。
武村（１９３８〜）は、水の物理・化学的変化から、生物の生理・生態変化を推察する方法を提唱している。
一般に、生物は、休眠に入ると、外界から栄養分をつくり体内に導入する。普通の同化作用は、いちゞるしく減少する、反面、内的同化が増加して、体内に貯えてきた栄養分から、必要成分をつくって不足分を補充して、恒常性を保持する。
植物種子は休眠状態であって、内的同化により、少しずつ同化し、脱水素反応により少しずつ酸化する。
内的同化は脱水重合で行われ、活性の高い脱水と、脱水素反応による活性水素が、体内に相対的に増加してくる。
活性水が活性水素を吸着した時表面張力が増加し、さらに外面に吸着膜ができる。この内部で吸着された水素の側には斥力が生じて、外周の多くの水素原子を排除し、遠のける。他方、吸着した水の側には引力が生じて、外周から多くの水分子を引よせる。そして、水素吸着水をつくる。
2005021119.tif 000002
水素吸着水は、水分子の大きな集合体であって、体内でつくられると、半透膜を透過できないから、長く体内にとゞまり、体大膨潤化をもたらす。
ここで、外囲が乾燥したり凍結して、水の自由分子が乏しくなると、吸着によって生じた水を引よせる吸着の引力は、吸着膜の内側に求心的に働き、核心部をエネルギー豊かに充実させ、さらに質量を増加する。
2005021119.tif 000003
これにより、効果的に処理され、乾燥良く保存した種子は、充実がはかられて発芽成績が向上する。また、春化処理による効果も、内部充実がはかられる。
さらに、吸着の引力は、レーザー引力であってレーザーの性質を保有する。
すなわち、強力な引力で、単一引力性をもち、干渉作用を持っている。
吸着の引力によって、高分子、遺伝機構、進化機構は干渉作用を受けている。
食塩水洗浄の効果については、水素吸着水Ｈ３Ｏ（Ｈ２Ｏ）ｎは積乱雲の成分であり、雪の結晶Ｈ３Ｏ（Ｈ２Ｏ）６から、結晶形は６方向に仮晶体となる。
他方Ｎａｃｌは立方形結晶で１原子が６方向に６原子と接している。
この様に６方向に結合し、つながる性質が共通であるから、食塩水によって、水素吸着水ができやすくなり、多くつくられ、干渉性が向上する。
それだけ、処理効果と発芽成績が向上する。
また食塩水が蝋状物質を流しやすく、きれいに洗われることにもよる。
(57)【要約】      （修正有）【課題】  保温効果があるもので又乾燥した肌や髪を潤しハリを取り戻す為の保湿効果を合わせ持ち、更には安価でおおよその家庭の既存の浴槽に対応出来るスチーム入浴するための幌を提供する。【解決手段】  骨格部は市販されている卓上折畳式蝿帳の骨格様式とし四本の骨は従来の品より長くし高さを出し入浴時頭が触わって邪魔にならないようにし、錆びにくい材質又は錆びにくい鍍金を施したものを使用する。又ビニールの部分はやはり市販されているビニール傘の材料を使い傘部四面の向かい合う二面に通気孔を明け下部四辺には浴槽のふちから蒸気がもれ出すのを防ぐ為のヒダを有する巾１０数センチ程のビニールを取り付け浴槽巾の違いや多少丸みのある浴槽にも対応出来る。【選択図】図１
2005021647.tif 000002
【特許請求の範囲】
【請求項１】
折畳式とし、浴槽内の蒸気を集める為傘状に張ったビニールの横面に通気孔を明け底辺にヒダを有するビニールを１０数センチ巾にぐるりと一周させ取付けておき浴槽中の違いや多少異形の浴槽など既存の家庭風呂でも蒸気がもれるのを少なくしスチーム効果のある入浴が出来る事を特徴とする幌。
【請求項２】
ビニールの部分は取外しができるようにして日により、気分により、又使用者により色や柄更には好みのキャラクターがプリントされたものなどスペア用として何種類か別売りで作られたものを取替えて楽しむ事も出来るのを特徴とする幌。
【発明の詳細な説明】
【発明の詳細な説明】
（発明の属する技術分野）
【０００１】この発明は安価でしかも既存の家庭風呂で使える事を第一目的としたので骨格の部分は市販されている卓上折畳式蝿帳の骨部を使い四本の骨は長くし高さをだしたものとしビニールの部分はビニール傘を四本の骨に合わせて張り底四辺部には蒸気を閉じこめる為のヒダを有する１０数センチ巾のビニールを取り付けるだけで高いスチーム効果を得る幌に関する。（従来の技術）
【０００２】平３−９１３４０にて実用新案請求されたものがあるが浴槽に合わせて風呂蓋を用意しなければならずどの家庭の風呂にも使えるというものではなく利便性に欠けていた。又市販されているサウナ風呂は高価で取付場所も別に用意しなければならず一般家庭での使用には無理な場合も多くあった。（発明が解決しようとする課題）
【０００３】冬の入浴はついつい湯温を上げてしまいそれでも洗い場に出た時の寒さには辟易としていたのでそれを解決する為保温効果があるもので又乾燥した肌や髪を潤しハリを取り戻す為の保湿効果をも合わせ持つものを求めつつ更には安価でありながらおおよその家庭の既存の浴槽に対応出来ることを条件にこれらを解決しようとした。（課題を解決する為の手段）
【０００４】本発明は安価で既するの浴槽に対応出来る事を目的としているので骨格部は市販されている卓上折畳式蝿帳の骨格様式とし四本の骨は従来の品より長くして高さを出し入浴時頭に触わって邪魔にならないようにし、錆びにくい材質のアルミや錆びにくい鍍金を施したものを使用する。又ビニールの部分はやはり市販されているビニール傘の材料を使い傘部四面の向かい合う二面に通気孔を明け巾１０数センチのヒダを有するビニールを底四辺にめぐらし浴槽のふたから蒸気がもれ出すのを防ぐと共に多少異形の丸みのある浴槽にも対応出来るよう工夫した。（発明実施の形態）
【０００５】入浴中（図１）のように適宜に風呂蓋を外した部分に幌をかけ浴槽内の蒸気を集積させ保温や保湿、発汗効果などのあるスチーム入浴を楽しむものである。
【０００６】（図２）は市販の卓上折畳式蝿帳の骨格部を用い四本の骨は従来品より長くし入浴中幌上部に頭が触わらない程度とする又湿度が高いので材質は錆びにくいアルミ材や錆びにくい鍍金を施す。更に縦横で浴槽中に合わせて使い分けが出来るよう長方形が望ましい。
【０００７】（図３）の材質は市販のビニール傘の素材程度が望ましく（ｂ）は骨格部分から取外せてスペアのビニールと取替られるように適宜な大きさの穴を明けておく
【０００８】浴槽内の蒸気を逃がさない為（ｄ）を取付ける（ｄ）は少し遊びを持たせた方がより浴槽巾を選ばず蒸気を閉じ込めることができるのでヒダをつけ巾は１０数センチ程度とする。
【０００９】（図３）（ｅ）部には骨とビニールが定着する為に市販のビニール傘の落雫部分にあるような半カプセル形の骨受けを取り付ける事によりビニールと骨の部分が簡単に着脱可能になりスペアのビニールと取替える事ができる。（発明の効果）常温もしくはそれより低い温度で入浴出来るので心臓の負担が少なくスチーム入浴を楽しむことができる。又高い保温、保湿効果が確認され髪のダメージや肌荒れが改善される。発汗作用が高くなり新陳代謝効果も期待される、更には厳冬期を除いては湯温を下げたり、湯量を少なくしても同効果があるので省エネの効果も期待出来る。
【図面の簡単な説明】
【図１】家庭でスチーム入浴する為の幌の使用状態の図
【図２】卓上折畳式蝿帳の骨格部を高さを出した図
【図３】ビニール部分斜視図
【符号の説明】
（ａ）  骨格部を拡げる為のステック（ｂ）  骨格部から着脱する為の穴（ｃ）  通気孔（ｄ）  蒸気を逃がさない為のヒダ付ビニール（ｅ）  半カプセル形骨受け
【図１】
2005021647.tif 000003
【図２】
2005021647.tif 000004
【図３】
2005021647.tif 000005
(57)【要約】      （修正有）【課題】携帯品を希望箇所に取り付けられ乂、ワンタッチで脱着機能を有するマルチホルダークリップを提供する。【解決手段】    携帯品１などにストッパー付きのメス型２を付け又は内臓しクリップ又は、腕止めバンド４などを脱着自在に付けた、オス型３を希望箇所に固定し結合する事により、ストッパーが掛かり固定でき解除ボタンをワンプッシュする事により、解除できるため分裂し使用できる機能構造を設けた。【選択図】図１
2005021644.tif 000002
【特許請求の範囲】
【請求項１】
携帯品などに取り付け又は、内蔵されたメス型と携帯品などを取り付けたい希望箇所に固定できる機能構造を持つオス型に結合する事により、ストッパーが掛かり固定でき、解除ボタンをワンプッシュする事によりストッパーが解除し，分裂する機能構造を持ち又、結合部が平面状の円形状とする為、結合方向が台座上に平行に３６０度どの方向からでも結合ができ又、結合時にはオス型の台座上で平行に携帯品などに取り付け乂、内蔵されたメス型が９０度ごとに固定し、３６０度回転する機能構造を特徴とするマルチホルダークリップ。
【請求項２】
請求項１記載のオス型においては、腕に装着できるように腕用バンドを脱着自在に設けて又、両面テープで貼り止めもでき又、中央部の穴を設けてネジで固定でき又、ネジでクリップを付ける事により希望箇所に挟み止める機能構造を特徴とする。
【請求項３】
請求項２記載のクリップにおいては、コの字型に形成されており、その間に弾性力を働かせて、その表面の全長の中央部に回転中心軸を左右に設け、操作レバーをＬ字型にし、その角部の線上を前記、回転中心軸に位置し、挟着挿板の裏側上下中心部の左右に軸を設け、前記操作レバーＬ字型の短先を位置し前記、挟着挿板の裏側中心線に前記操作レバーを操作させる事により、前記コの字型弾力性を挿入空間と同じ大きさにした前記、挟着挿板全体に働かせる機能構造とし、中央部に表面から裏側に通じる穴を設け、ネジなどで請求項１．２記載のオス型に取り付けでき、希望箇所に固定でき、クリップのみとしても使用できる機能構造を特徴とする。
【発明の詳細な説明】
【発明の詳細な説明】
【技術分野】
【０００１】本発明は、携帯品を希望箇所に止め、ワンタッチで脱着できるマルチホルダークリップ。
【背景技術】
【０００２】従来の携帯品などは携帯するのに際し、ポケット又はバッグに携帯しなければならず、使用に際し出すのに手間取り又、携帯場所に困った。
【発明が解決しようとする課題】
【０００３】携帯品などを希望箇所に固定し、ワンタッチで脱着できる物がなく使用に際し手間取る。
【発明が解決する為の手段】
【０００４】携帯品などに取り付け又は、内蔵されたメス型と腕バンド又はクリップなどを取り付けたオス型が結合する事により、ストツパーが掛かり希望箇所へ取り付けができ、また解除ボタンをワンプッシュする事によりストツパ・一が解除され分裂する為、必要時には直ぐに取り外せ使用する事が出来る。
【実施例】
【０００５】携帯品などを取り付けたメス型と腕バンドに取り付けたオス型とが結合する事により、ストッパーが掛かるため腕に携帯品などを取り付け固定する事が出来る。【０００６】オス型の台座上に結合部分が円形になっているため、結合方向が３６０度どの方向でも結合出来る。また、結合時に９０度どこにストッパーがかかるため、腕に取り付けたままでも方向旋回し使用出来る。【０００７】オス型に両面テープやネジなどで希望箇所に固定でき、またネジでクリップを付ける事により希望箇所に挟み止めることが出来るため、その箇所に携帯品などをワンタッチで脱着出来る。【０００８】オス型に取り付けるクリップにはクリップ本体９をコの字型に弾力性を働かせ操レバー１１を操作させる事により、滑り止め機能を付けた挟着挿板全面に弾力性を伝え、挿入空間に入った衣類やベルトなどを挟み止める事が出来る。
【発明の効果】
【０００９】以上のように請求項１記載の発明によれば、腕バンド又は、クリップ又は両面テープ又は、ネジなどの取り付け部品で固定出来る。オス型を希望箇所に取り付けていればメス型を取り付け又は、内蔵された携帯品などをワンタッチで希望箇所へ脱着でき、また結合時に必要に応じて９０度ごとに固定し、３６０度旋回し使用出来る。
【図面の簡単な説明】
【図面１】
腕バンドが付いたオス型と携帯品が付いたメス型の結合前の横から見た図である。
【図面２】
腕バンドが付いたオス型と携帯品が付いたメス型の結合前の上から見た図である。
【図面３】
メス型の横から見た断面図である。
【図面４】
メス型の挿入穴から見た断面図である。
【図面５】
オス型とメス型が結合時の上から見た図である。
【図面６】
クリップが付いたオス型と携帯品が付いたメス型の結合方向を示した図である。
【符号の説明】
１．  １ａ．１ｂ・・・携帯品
２．  ２ａ・・・・・・メス型部品
３．  ３ａ・・・・・・オス型部品
４．  ４ａ・・・・・・腕バンド
５・・・・・・・・・オス型の台座
６・・・・・・・・・取り付けネジ用穴
７．７ａ，７ｂ・・・挿入
８．８ａ・・・・・・解除ボタン
９・・・・・・・・・クリップ本体
１０・・・・・・・・操作レバーの軸受け
１１・・・・・・・・・操作レバー
１２・・・・・・・・・挟着挿板
１３．１３ａ・・・・・腕バンド取り付け軸
１４・・・・・・・・・腕バンド軸
１５・・・・・・・・・ベルトなど
１６．１６ａ・・・・・ゲート板バネ
１７．１７ａ．１７ｂ・ストッパーゲート
１８・・・・・・・・・ストッパー
１９．１９ａ・・・・・回転ストッパー軸
２０・・・・・・・・・ストッパー解除ボタンの移動軸
２１．２１ａ・・・・・ストッパーゲート軸
２２・・・・・・・・・ストッパーバネ
２３・・・・・・・・・挿入空間
【図１】
2005021644.tif 000003
【図２】
2005021644.tif 000004
【図３】
2005021644.tif 000005
【図４】
2005021644.tif 000006
【図５】
2005021644.tif 000007
【図６】
2005021644.tif 000008
(57)【要約】【課題】  サッカーボールで遊ぶ際に、サッカーゴールネットの前に立つサッカーゴールキーパー模写体に当たるボールの反発コースが変化する方法の開発。【解決手段】  サッカーゴールキーパー模写体に、複雑に変化する反発軌跡を生ぜしめる曲面、鈍角面を付設したこと。【選択図】          図１
2005021639.tif 000002
【特許請求の範囲】
【請求項１】
遊具のサッカーゴールネットの前に立つサッカーゴールキーパーの模写体に、人、動物などを適当な大きさに作成するにあたり、その模写体を立体的に作成し、その立体的模写体に更に曲面、鈍角面を付設して、サッカーボールがサッカーゴールキーパーの立体的模写体に当たった際に、反発するサッカーボールが平面的反発軌跡でなく、複雑に変化する反発軌跡を生ぜしめる局面、鈍角面を有する、複雑な反発面を有する立体サッカーゴールキーパーの遊具。
【発明の詳細な説明】
【発明の詳細な説明】
【技術分野】
【０００１】  本発明は、児童遊具として使用されるサッカー練習のもので、国際特許分野のＡ６３Ｂを主用途とするものである。
【背景技術】
【０００２】  従来、児童の遊具としてサッカーネットと木製の平板による平面のサッカーゴールキーパー模写体はあったが、立体的で複雑な反発面を有するサッカーゴールキーパーの模写体は無い。
【発明が解決しようとする課題】
【０００３】  サッカーボールが、模写体のサッカーゴールキーパーに当たる際、平板の模写体では、反発するボールが予測した所に飛び、容易に捕捉されゲームとしての面白さに欠けるので、その改善を図る。
【課題を解決するための手段】
【０００４】  従来、木製の平板的サッカーゴールキーパー模写体を立体化し、当たったサッカーボールを予測しがたい反発コースをとらせる曲面、鈍角面を付設したこと。
【発明を実施するための最良の形態】
【０００５】  発明の実施の形態を実施例に基づき図面を参照して説明する。
図１において、サッカーゴールキーパー模写体、図２において、その切断面を示したが、従来のサッカーゴールキーパー模写体は、ボールが当たる場所のすべてが平面であり、図２の様な立体はなかった。
図を例に説明すると、「熊」を擬人化したサッカーゴールキーパー模写体（１）の顎（２）の下部に鈍角状突起（３）、胸部（４）の両側、両手の内側にサッカーボールが当たり反発する曲面（５）を構成する。
この鈍角状突起（３）、曲面（５）は、サッカーゴールキーパー模写体（１）の随意の所に設けられ、設定場所の指定はそのサッカーゴールキーパー模写体の形状にろより考慮される。
また、鈍角状突起（３）、曲面（６）は、共存する必要は無く、サッカーゴールキーパー模写体の形状により、その一方でも差し支えない。
【実施例】
【０００６】  以上の構成・形態のサッカーゴールキーパー模写体（１）は、形態に鈍角状突起（３）、曲面（５）など、複雑な反発面を作成したもので、作成方法としてはポリエステル樹脂の積層成形、真空成形、圧空成形、粉末成形などいろいろな成形法で容易に作成できる。
【発明の効果】
【０００７】  本発明は、以上説明したように構成されているので、サッカーボールがサッカーゴールキーパー模写体（１）にあたる際の反発方向が多様となり、ゲームとして面白く、敏捷性が育成され健康増進に役立つものである。
【図面の簡単な説明】
【０００８】
【図１】  サッカーゴールキーパー模写体の平面図
【図２】  立体サッカーゴールキーパー模写体の実施例を示す縦断面図である。
【符号の説明】
【０００９】        １  立体サッカーゴールキーパー模写体の平面図
２  立体サッカーゴールキーパー模写体の顎部
３  立体サッカーゴールキーパー模写体に付設した鈍角状突起
４  立体サッカーゴールキーパー模写体の胸部
５  立体サッカーゴールキーパー模写体に付設した曲面
【図１】
2005021639.tif 000003
【図２】
2005021639.tif 000004